(57)【要約】 【課題】  本発明は、簡略な構成で精度良く構造物の床を構築できるとともに、解体の容易なプレキャストスラブの接合構造を提供する。【解決手段】  プレキャストスラブは、隣り合うプレキャストスラブ５ａ、５ｂで向かい合う長手方向の側端部の形状が異なり、一方のプレキャストスラブ５ａは下半のみが水平方向に凸状に突出した下半凸状側端部１１、他方のプレキャストスラブ５ｂは下半凸状側端部１１と嵌合する形状の上半凸状側端部６を有している。下半凸状側端部１１の上端面１１ａには接合ボルト１３、上半凸状側端部６にはボルト孔８が形成されて、一方のプレキャストスラブ５ａと他方のプレキャストスラブ５ｂは、上半凸状側端部６の下端面６ａと下半凸状側端部１１の上端面１１ａを面どうしで当接させ、またボルト孔８に接合ボルト１３を貫通させてナット１３ａを嵌合し締結することで接合構造が形成される。【選択図】  図４
2005220528.tif 000002
【特許請求の範囲】
【請求項１】
柱及び梁を備える構造物に設置される床を構成するプレキャストスラブの接合構造であって、
隣り合う一方のプレキャストスラブの長手方向の少なくとも一方の側端部には、断面視長方形の切り欠きが長手方向の上半に延在する下半凸状側端部が形成され、
他方のプレキャストスラブの前記下半凸状側端部と隣接する側端部には、下半凸状側端部に嵌合する形状に下半を切り欠かれた上半凸状側端部が形成され、
該上半凸状側端部の下端面と前記下半凸状側端部の上端面を面どうしで当接させて、両者を締結手段を介して締結することを特徴とするプレキャストスラブの接合構造。
【請求項２】
請求項１に記載のプレキャストスラブの接合構造において、
隣り合う一方の前記プレキャストスラブが、対をなす長手方向の側端部の両者に下半凸状側端部を有し、
他方の前記プレキャストスラブが、対をなす長手方向の側端部の両者に上半凸状側端部を有することを特徴とするプレキャストスラブの接合構造。
【請求項３】
請求項１に記載のプレキャストスラブの接合構造において、
隣り合うプレキャストスラブの両者ともに、対をなす長手方向の側端部の一方に下半凸状側端部、他方に上半凸状側端部を有することを特徴とするプレキャストスラブの接合構造。
【請求項４】
請求項１から３の何れかに記載のプレキャストスラブの接合構造において、
前記下半凸状側端部の上端面に、鉛直状に突出する接合ボルトを長手方向に所定の離間間隔をもって複数配置し、
前記上半凸状側端部の前記下半凸状側端部の接合ボルトと相対する位置に、鉛直方向に貫通するボルト孔を形成し、
該ボルト孔に前記接合ボルトを貫通させつつ上半凸状側端部の下端面と下半凸状側端部の上端面を面どうしで当接し、該接合ボルトを用いた締結手段を介して上半凸状側端部と下半凸状側端部とを締結することを特徴とするプレキャストスラブの接合構造。
【請求項５】
請求項４に記載のプレキャストスラブの接合構造において、
前記ボルト孔が、前記上半凸状側端部の縁から前記下半凸状側端部の接合ボルトと相対する位置を含む近傍に切り欠きを設け、該切り欠きを塞ぐように水平に設置された鋼板に形成されることを特徴とするプレキャストスラブの接合構造。
【請求項６】
請求項１から５の何れかに記載のプレキャストスラブの接合構造において、
隣り合う前記プレキャストスラブの上半凸状側端部の下端面と下半凸状側端部の上端面の相対する位置各々に、長手方向に延在する水切り溝が形成されることを特徴とするプレキャストスラブの接合構造。
【発明の詳細な説明】
【技術分野】
【０００１】
本発明は、プレキャストスラブの接合構造に関する。
【背景技術】
【０００２】
従来より、柱と梁を備える構造物に設置される床を複数のプレキャストスラブにより構成する場合には、例えば特許文献１に示すように、プレキャトスラブ各々の外周縁全周を梁上に位置させた上で外周縁を梁に固定する構成とすることで、隣り合うプレキャストスラブとの間に生じやすい鉛直方向の段差を解消するだけでなく、プレキャストスラブのスパンを増加させている。
また、隣り合うプレキャストスラブの目地部にモルタルを充填する構成とすることで、下階への落下物の発生を防止するとともに、下階で火災等が発生した際の上階への延焼を防止している。
さらに、プレキャストスラブの上端面に仕上げ用のモルタルを打設する構成とすることで、表面の平滑度の確保及びレベル調整実施する場合もある。
【特許文献１】特開平９−３２１７１号公報（第１図、第７図を参照）
【発明の開示】
【発明が解決しようとする課題】
【０００３】
しかし、上述するようなプレキャストスラブの接合構造は、隣り合うプレキャストスラブどうしの水平レベルを合わせた上で梁に固定する工程や、隣り合うプレキャストスラブの目地部にモルタルを打設する工程等に係る作業が煩雑で施工手間となっていた。
また、上述するプレキャストスラブにより構成された床を解体して撤去する際には、目地部に充填されたモルタルを撤去するためのはつり作業が必要となり解体作業が煩雑となるだけでなく、粉塵・騒音・振動等を伴う作業となるため周辺環境への影響が大きい。
さらに、場合によってはプレキャストスラブ崩落の危険も伴うことから、簡略な構成で安全に撤去できるプレキャストスラブの接合構造が求められていた。
【０００４】
上記事情に鑑み、本発明は、簡略な構成で精度良く構造物の床を構築できるとともに、解体の容易なプレキャストスラブの接合構造を提供することを目的としている。
【課題を解決するための手段】
【０００５】
請求項１記載のプレキャストスラブの接合構造は、柱及び梁を備える構造物に設置される床を構成するプレキャストスラブの接合構造であって、隣り合う一方のプレキャストスラブの長手方向の少なくとも一方の側端部には、断面視長方形の切り欠きが長手方向の上半に延在する下半凸状側端部が形成され、他方のプレキャストスラブの前記下半凸状側端部と隣接する側端部には、下半凸状側端部に嵌合する形状に下半を切り欠かれた上半凸状側端部が形成され、該上半凸状側端部の下端面と前記下半凸状側端部の上端面を面どうしで当接させて、両者を締結手段を介して締結することを特徴としている。
【０００６】
請求項２記載のプレキャストスラブの接合構造は、隣り合う一方の前記プレキャストスラブが、対をなす長手方向の側端部の両者に下半凸状側端部を有し、他方の前記プレキャストスラブが、対をなす長手方向の側端部の両者に上半凸状側端部を有することを特徴としている。
【０００７】
請求項３記載のプレキャストスラブの接合構造は、隣り合うプレキャストスラブの両者ともに、対をなす長手方向の側端部の一方に下半凸状側端部、他方に上半凸状側端部を有することを特徴としている。
【０００８】
請求項４記載のプレキャストスラブの接合構造は、前記下半凸状側端部の上端面に、鉛直状に突出する接合ボルトを長手方向に所定の離間間隔をもって複数配置し、前記上半凸状側端部の前記下半凸状側端部の接合ボルトと相対する位置に、鉛直方向に貫通するボルト孔を形成し、該ボルト孔に前記接合ボルトを貫通させつつ上半凸状側端部の下端面と下半凸状側端部の上端面を面どうしで当接し、該接合ボルトを用いた締結手段を介して上半凸状側端部と下半凸状側端部とを締結することを特徴としている。
【０００９】
請求項５記載のプレキャストスラブの接合構造は、前記ボルト孔が、前記上半凸状側端部の縁から前記下半凸状側端部の接合ボルトと相対する位置を含む近傍に切り欠きを設け、該切り欠きを塞ぐように水平に設置された鋼板に形成されることを特徴としている。
【００１０】
請求項６記載のプレキャストスラブの接合構造は、隣り合う前記プレキャストスラブの上半凸状側端部の下端面と下半凸状側端部の上端面の相対する位置各々に、長手方向に延在する水切り溝が形成されることを特徴としている。
【発明の効果】
【００１１】
請求項１から３に記載のプレキャストスラブの接合構造によれば、隣り合うプレキャストスラブの隣接する側端部どうしを締結手段を介して締結するから、複数のプレキャストスラブを連結することで床を構築でき、また該床の外周縁のみを梁に固定することで床を構造物に設置できるため、従来のようにプレキャストスラブ各々の外周縁全周を梁上に配置し固定していた接合構造と比較して、その構成が簡略で作業性がよいとともに、構造物から床を撤去する際にもその作業を簡略化でき、工費削減及び工期短縮に大きく寄与することが可能となる。
【００１２】
また、隣り合うプレキャストスラブどうしは、各々の隣接する側端部に形成された上半凸状側端部の下端面と下半凸状側端部の上端面を面どうしで当接し重ね合わせた状態で締結されることから、容易に水平レベルを合わせることができるため、従来のように個々のプレキャストスラブを梁上に配置した上で水平レベルを調整する必要がなく、容易に鉛直方向の段差を解消でき精度の高い床を構築することが可能となる。
【００１３】
さらに、このような前記上半凸状側端部の下端面と下半凸状側端部の上端面とを面どうしで当接する構成は、隣り合うプレキャストスラブの隣接する側端部どうしが水平に重ねられた構成となるから、隣り合うプレキャストスラブの目地部には、従来より隣り合うプレキャストスラブの側端部の鉛直面どうしを対向させる場合に生じていた上下階に連通する間隙が形成されことはない。
【００１４】
これにより、隣り合うプレキャストスラブの目地部に、落下物対策や火災発生時の上階への延焼を抑制すべく実施されていたモルタルの充填が不要となるため、施工性を大幅に向上することが可能になるとともに、構造物から床を撤去する際にも、隣り合うプレキャストスラブの側端部を締結している締結手段を開放するのみで、容易に床を複数のプレキャストスラブに解体でき安全に撤去することが可能となる。
【００１５】
このように、プレキャストスラブの接合構造は、プレキャストスラブにより構成される床の構築及び構造物からの床の撤去の何れの作業をも簡略化することの可能な合理的な構成とすることが可能となる。
【００１６】
さらに、隣り合うプレキャストスラブの隣接する長手方向の側端部どうしを締結する構成は、該長手方向の側端部を梁に固定しなくとも短手方向の両側端部を梁上に配置し固定することで、プレキャストスラブ各々の４辺全てがあたかも構造物に固定されて４点支持された場合と同様の構成となる。したがって、地震等の発生によりプレキャストスラブの短辺を支持する梁間に水平変位差が生じるような力が働く場合にも、面内方向のせん断力をスムーズに構造物に伝達できることから、プレキャストスラブの面内剛性を十分に働かせることができるので構造物の水平方向のねじれ変形を抑制することも可能となる。
【００１７】
請求項４及び５に記載のプレキャストスラブの接合構造によれば、前記下半凸状側端部の上端面に接合ボルトを配置するとともに前記上半凸状側端部にボルト孔を設置して、該ボルト孔に前記接合ボルトを貫通させるから、隣り合うプレキャストスラブどうしの建て込みに際し、鉛直方向のみでなく水平方向の位置合わをも容易に行うことができるため、作業性を大幅に向上することが可能となる。
【００１８】
請求項６に記載のプレキャストスラブの接合構造によれば、隣り合う前記プレキャストスラブの上半凸状側端部の下端面と下半凸状側端部の上端面の相対する位置各々に、長手方向に延在する水切り溝が形成されるから、何れかの現象により隣り合うプレキャストスラブの目地部から水が浸水した場合にも水切り溝を介して排水できるため、下階への水漏れ等を防止することが可能となる。
【発明を実施するための最良の形態】
【００１９】
本発明のプレキャストスラブの接合構造を図１から図６に示す。本発明は、床を構成するプレキャストスラブの接合構造を、隣り合う一方のプレキャストスラブの側端部に下半凸状側端部を形成し、隣り合う他方のプレキャストスラブの前記下半凸状側端部と隣接する側端部に下半凸状側端部に嵌合する形状の上半凸状側端部を形成し、上半凸状側端部の下端面と下半凸状側端部の上端面を面どうしで当接させて両者を締結する構成とする。これにより床の構築作業を簡略化し、また構造物から床を撤去する際の作業性を向上するものである。
【００２０】
図１に示すように、柱２と梁３を備える構造物１には、複数のプレキャストスラブ５をその長手方向の側端部どうしで接合することにより構築された床４が設置されている。
前記プレキャストスラブ５は、長手方向が構造物１のｘ方向に延在する梁３と略同様の長さに、短手方向がｙ方向の梁３を等分割した長さに成形されてモジュール化されているものの、隣り合うプレキャストスラブ５ａ、５ｂで長手方向の側端部の形状が異なっている。
【００２１】
図２（ａ）に示すように、一方のプレキャストスラブ５ａは、長手方向の対をなす側端部の両者に下半凸状側端部１１が形成されている。該下半凸状側端部１１は、側端部における上半の長手方向に断面視長方形の切り欠き１２が延在しており、下半のみが水平方向に凸状に突出した形状を有し、この下半の上端面１１ａにはプレキャストスラブ５ａの長手方向に沿うように所定の離間間隔をもって、鉛直方向に突出する接合ボルト１３が複数形成されている。
【００２２】
また、図２（ｂ）に示すように、一方のプレキャストスラブ５ａと隣り合う他方のプレキャストスラブ５ｂは、長手方向の対をなす側端部の両者に上半凸状側端部６が形成されている。該上半凸状側端部６は、前記下半凸状側端部１１と嵌合する形状となるように切り欠き７が側端部における下半の長手方向に延在しており、上半のみが水平方向に凸状に突出した形状を有し、前記下半凸状側端部１１と組み合わせた際に前記接合ボルト１３と当接する位置には、鉛直方向に貫通するボルト孔８が複数形成されている。
【００２３】
本実施の形態においてボルト孔８は、上半凸状側端部６の縁から前記下半凸状側端部１１に設置された接合ボルト１３と当接する位置を含む範囲近傍に鉛直方向の切り欠き９を設け、該切り欠き９の水平面を覆うように上半の下端面６ａと同一平面状に配置した鋼板１０に形成されている。                              
該鋼板１０は、前記切り欠き９の水平面と比較して大きい面積を有するとともに、鋼板１０に対して何れかの現象により引張力が作用した際にも他方のプレキャストスラブ５ｂから引き抜けることがないよう、上端面に鉛直上方向に突出するピン１０ａを備える構成を有しており、該ピン１０ａを他方のプレキャストスラブ５ｂ内に埋設している。なお、該ピン１０ａは、必ずしも備える必要はない。
【００２４】
上述する構成の一方のプレキャストスラブ５ａと他方のプレキャストスラブ５ｂは、両者を平行に隣り合わせて、図４（ａ）に示すように他方のプレキャストスラブ５ｂの長手方向の側端部に形成された上半凸状側端部６の下端面６ａと一方のプレキャストスラブ５ａの長手方向の側端部に形成された下半凸状側端部１１の上端面１１ａを面どうしで当接させて配置している。このような構成は、隣り合うプレキャストスラブ５の建て込み時に水平レベルの調整を行うことなく、上端面の鉛直方向の段差を解消できるものである。
【００２５】
また、上半凸状側端部６と下半凸状側端部１１が水平に重なり合う形状となるため、一方のプレキャストスラブ５ａと他方のプレキャストスラブ５ｂの目地部には、上下階に連通する空隙が形成されることはない。
【００２６】
さらに、図４（ｂ）に示すように上半凸状側端部６の下端面６ａに設置されている鋼板１０に形成されたボルト孔８に、下半凸状側端部１１の上端面１１ａより上方に突出する接合ボルト１３を貫通させている。このような構成は、隣り合うプレキャストスラブ５の建て込み時に水平方向の位置合わせを容易に実施でき、床４全体の平面形状を精度良く保持できるものである。
【００２７】
このように隣り合わせて配置した一方のプレキャストスラブ５ａと他方のプレキャストスラブ５ｂは、前記接合ボルト１３にナット１３ａを嵌合し締結することにより接合されてプレキャストスラブ５の接合構造が形成され、床４が構成されることとなる。
【００２８】
このとき、該切り欠き９の水平面を覆うように上半の下端面６ａと同一平面状に配置した鋼板１０にボルト孔８を形成しているから、切り欠き９内にナット１３ａが収まるため、一方のプレキャストスラブ５ａと他方のプレキャストスラブ５ｂの上端面は平面性を保持することができるものである。
【００２９】
また、隣り合わせて配置した一方のプレキャストスラブ５ａと他方のプレキャストスラブ５ｂは、上半凸状側端部６と下半凸状側端部１１の向かい合う鉛直面が当接することなく、目地部に隙間を設けた構成としている。この隙間には、通常時において、図６に示すように硬質ゴム１９が介装されるため、同じく一方のプレキャストスラブ５ａと他方のプレキャストスラブ５ｂの上端面は平面性を保持されている。
【００３０】
なお、前記ボルト孔８は、必ずしも上述するような鋼板１０に形成する構成にこだわるものではなく、工場等でプレキャストスラブ５を製造する際に上半凸状側端部６にボルト孔８として機能する鞘管をあらかじめ介装しておく等、前記下半凸状側端部１１に設置された接合ボルト１３と当接する位置で上半を鉛直方向に貫通する孔を形成できれば何れの構成を用いても良い。
【００３１】
また、本実施の形態では接合ボルト１３にネジ付きスタッドボルトを用いているが、必ずしもこれにこだわるものではなく、通しボルトを設置する等、上半凸状側端部６に設置されているボルト孔８に貫通し、一方のプレキャストスラブ５ａと他方のプレキャストスラブ５ｂを接合できる締結手段として機能するものであれば、何れを用いても良い。
【００３２】
このように、長手方向の側端部に下半凸状側端部１１を有する一方のプレキャストスラブ５ａと上半凸状側端部６を有する他方のプレキャストスラブ５ｂを水平方向に連続して配置し、隣接する長手方向の側端部どうしを互いに締結手段を介して接合するといった簡略なプレキャストスラブ５の接合構造により、図１に示すような前記床４が形成されることとなる。
【００３３】
ところで、該床４はその外周縁が前記構造物１のｘ方向及びｙ方向に延在する梁３上に配置されて該梁３に固定される。このため、床４のｙ方向の両側部に位置することとなるプレキャストスラブ５には、長手方向の側端部のうち何れか一方に上半凸状側端部６もしくは下半凸状側端部１１等の端部処理を施していない端部用プレキャストスラブ５ｃ、５ｄを用いる。
【００３４】
該端部用プレキャストスラブ５ｃ、５ｄは、図３（ａ）（ｂ）に示すように、長手方向の何れか一方の側端部にのみそれぞれ上半凸状側端部６もしくは下半凸状側端部１１が形成されたスラブである。
これらは図１に示すように、下半凸状側端部１１を有する端部用プレキャストスラブ５ｃを他方のプレキャストスラブ５ｂと隣り合わせ、端部用プレキャストスラブ５ｃの下半凸状側端部１１が形成されている側端部を他方のプレキャストスラブ５ｂの上半凸状側端部６が形成されている側端部とを対向させて締結し、端部処理の施されていない側端部を前記床４のｘ方向の梁３上に配置する。
同じく、上半凸状側端部６を有する端部用プレキャストスラブ５ｄを一方のプレキャストスラブ５ａと隣り合わせ、端部用プレキャストスラブ５ｄの該上半凸状側端部６が形成されている側端部を一方のプレキャストスラブ５ａの下半凸状側端部１１が形成されている側端面とを対向させて締結し、端部処理の施されていない側端部を前記床４のｘ方向の梁３上に配置する。
【００３５】
このようにして一方のプレキャストスラブ５ａ、他方のプレキャストスラブ５ｂ及び端部用プレキャストスラブ５ｃ、５ｄにより構成された床４は、端部用プレキャストスラブ５ｃ、５ｄの端部処理の施されていない側端部とｘ方向の梁３、一方のプレキャストスラブ５ａと他方のプレキャストスラブ５ｂの短手方向の側端部とｙ方向の梁３が締結手段を介して締結されて、前記構造物１に床４が設置される。
【００３６】
ここで、図１に示すようにｘ方向の梁３上には、前記構造物１に床４が配置された際に、前記一方のプレキャストスラブ５ａの長手方向の側端部に形成された下半凸状側端部１１の上端面に設置されている接合ボルト１３と並列となる位置に、鉛直上方に突出するアンカー部材１４が設置されている。
【００３７】
また、端部用プレキャストスラブ５ｃ、５ｄの端部処理の施されていない側端部には、ｘ方向の梁３上に設置されたアンカー部材１４と当接する位置に、図３（ａ）（ｂ）に示すように鉛直方向に貫通する通し孔１５が複数形成されている。
【００３８】
該通し孔１５は、端部用プレキャストスラブ５ｃ、５ｄの端部処理の施されていない側端部でｘ方向の梁３上に設置されたアンカー部材１４と当接する位置に、アンカー部材１４と比較して十分径の大きい鞘管を鉛直方向に立設させて埋設することにより形成されたもので、端部用プレキャストスラブ５ｃ、５ｄを鉛直方向に貫通する貫通孔に形成されている。
【００３９】
このような構成の通し孔１５は、該端部用プレキャストスラブ５ｃ、５ｄの端部処理の施されていない側端部のみでなく、図２（ａ）（ｂ）に示すように、一方のプレキャストスラブ５ａ及び他方のプレキャストスラブ５ｂの短手方向の側端部の中央にも各々設置されている。
【００４０】
したがって、構造物１に床４が配置された際に、一方のプレキャストスラブ５ａ及び他方のプレキャストスラブ５ｂ各々の短手方向の側端部の中央に設置されている通し孔１５と当接する位置のｙ方向の梁３上にも、図１に示すようにｘ方向の梁３上に設置されたものと同様のアンカー部材１４が設置されている。
【００４１】
これにより前記床４は、外周縁つまり端部用プレキャストスラブ５ｃ、５ｄの端部処理の施されていない長手方向の側端部と一方のプレキャストスラブ５ａ、他方のプレキャストスラブ５ｂ及び端部用プレキャストスラブ５ｃ、５ｄの短手方向の側端部が、構造物１のｘ方向の梁３及びｙ方向の梁３上に位置するように配置され、前記通し孔１５にアンカー部材１４が貫通されて建て込まれている。
【００４２】
床４は、図４（ａ）（ｂ）に示すように、アンカー部材１４に座金１４ａを介してナット１４ｂを嵌合し締結することにより、ｘ方向の梁３及びｘ方向の梁３各々に接合され、構造物１に固定されることとなる。
なお、通し孔１５のうち上半は周囲を含む広い範囲を切り欠かれており、この切り欠き内に座金１４ａ及びナット１４ｂが収まるため、床４の上端面は平面性を保持することができるものである。
【００４３】
このように、該床４は、構造物１に対して床４の外周縁を締結手段を介して固定するのみの簡略な構成であるから施工性がよいだけでなく、解体時にも締結手段を開放するのみで撤去作業を実施でき、床４に係る構築作業の簡略化及び撤去時の施工容易性を確保することができるものである。
【００４４】
また、前記床４を構成するプレキャストスラブ５の接合構造は、長手方向の対をなす側端部の両者を隣り合うプレキャストスラブ５に固定するから、図５（ａ）に示すように、プレキャストスラブ５の短手方向の対をなす側端部の両者をｙ方向の梁３ａ、３ｂにそれぞれ固定することで、プレキャストスラブ５は、個々の４辺全てがあたかも構造物に固定されて４点支持された場合と同様の構成となる。
このため、地震等が発生して床４すなわちプレキャストスラブ５を水平方向に回転させるような力が構造物１のｙ方向に作用した場合であっても、各プレキャストスラブ５の面内剛性を介して梁３ａ、３ｂにせん断力が伝達される。
【００４５】
一方、図５（ｂ）に示すようなプレキャストスラブ５の短手方向の対をなす側端部のみを拘束する場合には、プレキャストスラブ５が隣り合うプレキャストスラブ５との目地部に生じる隙間分だけ回転した後、各プレキャストスラブ５が接触することで、プレキャストスラブ５の面内剛性が効くこととなり、上記段落［００４４］と同様に各プレキャストスラブ５の面内剛性を介して梁３ａ、３ｂにせん断力が伝達されるといった効果が得られるものである。
【００４６】
ところで、図６に示すように隣り合う前記プレキャストスラブ５ａ、５ｂの接合構造には、水切り溝１６が形成されている。該水切り溝１６は、他方のプレキャストスラブ５ｂの上半凸状側端部６の下端面６ａと一方のプレキャストスラブ５ａの下半凸状側端部１１の上端面１１ａの両者各々の相対する位置に、長手方向に延在するように形成されている。このような構成は、隣り合う前記プレキャストスラブ５ａ、５ｂの目地部から何らかの現象により水が浸入した際にも、プレキャストスラブ５内に滞留することがなく、また、下階に漏水することを防止できるものである。
【００４７】
また、隣り合う前記プレキャストスラブ５ａ、５ｂの接合構造には、天井下地材や照明器具等天井材を吊り込む際に用いる吊り金物１７を固定するための固定溝１８が形成されている。これら固定溝１８は、本実施の形態において上半凸状側端部６と下半凸状側端部１１の上半側に形成される向かい合う鉛直面、及び下半側に形成される向かい合う鉛直面の両者に形成したが、必ずしもこれにこだわるものではなく、何れか一方にのみ設置する構成としても良い。
【００４８】
上述するようなプレキャストスラブ５の接合構造について、本実施の形態では、対をなす長手方向の側端部の両者に下半凸状側端部１１が形成されている一方のプレキャストスラブ５ａ、対をなす長手方向の側端部の両者に上半凸状側端部６が形成されている他方のプレキャストスラブ５ｂを隣り合わせる場合を例に挙げて、その構成を詳述したが、必ずしもこれにこだわるものではない。
【００４９】
例えば、図２（ｃ）に示すように、長手方向の一方の側端部に下半凸状側端部１１、他方の側端部に上半凸状側端部６を形成し、隣り合う一方のプレキャストスラブ５ａと他方のプレキャストスラブ５ｂを同一形状とする構成としても良い。このように、隣り合うプレキャストスラブ５ａ、５ｂの隣接する長手方向の側端部各々に、上半凸状側端部６と下半凸状側端部１１が形成されていれば、一方のプレキャストスラブ５ａと他方のプレキャストスラブ５ｂ個々の長手方向の対をなす側端部は、上半凸状側端部６と下半凸状側端部１１の何れの組み合わせとしても良い。
【００５０】
上述するプレキャストスラブ５の接合構造によれば、隣り合うプレキャストスラブ５ａ、５ｂの隣接する側端部どうしを締結手段を介して締結するから、複数のプレキャストスラブ５を連結すること床４を構築でき、また該床４の外周縁のみを梁３に固定することで床４を構造物１に設置できるため、従来のようにプレキャストスラブ５各々の外周縁全周を梁３上に配置し固定していた接合構造と比較して、その構成が簡略で作業性がよいとともに、構造物１から床４を撤去する際にもその作業を簡略化でき、工費削減及び工期短縮に大きく寄与することが可能となる。
【００５１】
また、隣り合うプレキャストスラブ５どうしは、各々の隣接する側端部に形成された上半凸状側端部６の下端面と下半凸状側端部１１の上端面を面どうしで当接し重ね合わせた状態で締結されることから、容易に水平レベルを合わせることができるため、従来のように個々のプレキャストスラブ５を梁３上に配置した上で水平レベルを調整する必要がなく、容易に鉛直方向の段差を解消でき精度の高い床４を構築することが可能となる。
【００５２】
さらに、このような前記上半凸状側端部６の下端面と下半凸状側端部１１の上端面とを面どうしで当接する構成は、隣り合うプレキャストスラブ５ａ、５ｂの隣接する側端部どうしが水平に重ねられた構成となるから、隣り合うプレキャストスラブ５ａ、５ｂの目地部には、従来より隣り合うプレキャストスラブ５ａ、５ｂの側端部の鉛直面どうしを対向させる場合に生じていた上下階に連通する間隙部が形成されることがない。
【００５３】
これにより、隣り合うプレキャストスラブ５ａ、５ｂの目地部に、落下物対策や火災発生時の上階への延焼を抑制すべく実施されていたモルタルの充填が不要となるため、施工性を大幅に向上することが可能になるとともに、構造物１から床４を撤去する際にも、隣り合うプレキャストスラブ５ａ、５ｂの側端部を締結している締結手段を開放するのみで、容易に床４を複数のプレキャストスラブ５に解体でき、かつ安全に撤去することが可能となる。
【００５４】
このように、プレキャストスラブ５の接合構造は、プレキャストスラブ５により構成される床４の構築及び構造物１からの床４の撤去の何れの作業をも簡略化することの可能な合理的な構成とすることが可能となる。
【００５５】
さらに、隣り合うプレキャストスラブ５ａ、５ｂの隣接する長手方向の側端部どうしを締結する構成は、該長手方向の側端部を梁３に固定しなくとも、短手方向の両側端部を梁３上に配置し固定することで、プレキャストスラブ５各々の４辺全てがあたかも構造物１に固定されて４点支持された場合と同様の構成となる。
したがって、地震等の発生によりプレキャストスラブ５に対して水平方向に回転する力が作用した場合にも、面内方向のせん断力をスムーズに構造物１に伝達できることから、プレキャストスラブ５の面内剛性を十分に働かせることができるので、構造物１の水平方向のねじれ変形を抑制することも可能となる。
【００５６】
また、前記下半凸状側端部１１の上端面に接合ボルト１３を配置するとともに前記上半凸状側端部６にボルト孔８を設置しておくことにより、該ボルト孔８に前記接合ボルト１３を貫通させるのみで、隣り合うプレキャストスラブ５ａ、５ｂどうしの建て込みに際し、鉛直方向のみでなく水平方向の位置合わをも容易に行うことができるため、作業性を大幅に向上することが可能となる。
【００５７】
一方で、隣り合う前記プレキャストスラブ５ａ、５ｂの上半凸状側端部６の下端面と下半凸状側端部１１の上端面の相対する位置各々に、長手方向に延在する水切り溝１６を形成することにより、何れかの現象により隣り合うプレキャストスラブ５ａ、５ｂの目地部から水が浸水した場合にも水切り溝１６を介して排水できるため、下階への水漏れ等を防止することが可能となる。
【図面の簡単な説明】
【００５８】
【図１】本発明に係るプレキャストスラブより構成される床を示す図である。
【図２】本発明に係るプレキャストスラブ（その１）を示す図である。
【図３】本発明に係るプレキャストスラブ（その２）を示す図である。
【図４】本発明に係るプレキャストスラブの接合構造の詳細を示す図である。
【図５】本発明に係るプレキャストスラブの面内力の伝達機構を示す図である。
【図６】本発明に係るプレキャストスラブの目地部を示す図である。
【符号の説明】
【００５９】
１  構造物
２  柱
３  梁
４  床
５  プレキャストスラブ
６  上半凸状側端部
７  切り欠き
８  ボルト孔
９  側端切欠き
１０  鋼板
１１  下半凸状側端部
１２  切り欠き
１３  接合ボルト
１４  アンカー部材
１５  通し孔
１６  水切り溝
１７  吊り金具
１８  固定溝
１９  硬質ゴム
【図１】
2005220528.tif 000003
【図２】
2005220528.tif 000004
【図３】
2005220528.tif 000005
【図４】
2005220528.tif 000006
【図５】
2005220528.tif 000007
【図６】
2005220528.tif 000008